【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
推奨を生成する方法であって、
複数のゾーン及び複数のユーザ表現を表示する信号を生成するステップと、
前記複数のユーザ表現からのユーザ表現が前記複数のゾーンからのゾーンに配置された場合、メディア資産の少なくとも１つの推奨を生成するステップと
を有する方法。
【請求項２】
前記ユーザ表現は、第１のユーザに対応し、
前記少なくとも１つの推奨は、前記第１のユーザに対応するユーザプロファイルデータから生成される、請求項１に記載の方法。
【請求項３】
前記複数のユーザ表現からの第２のユーザ表現が前記複数のゾーンからの第２のゾーンに配置された場合、メディア資産の少なくとも１つの更なる推奨を生成するステップを更に有する、請求項１に記載の方法。
【請求項４】
前記ユーザ表現は、第１のユーザに対応し、
前記第２のユーザ表現は、第２のユーザに対応し、
前記少なくとも１つの更なる推奨は、前記第１及び第２のユーザに対応するユーザプロファイルデータから生成される、請求項３に記載の方法。
【請求項５】
前記第１のユーザ及び第２のユーザは異なり、
前記ゾーン及び第２のゾーンは異なる、請求項４に記載の方法。
【請求項６】
前記複数のユーザ表現からの少なくとも２つのユーザ表現が前記複数のゾーンからのそれぞれのゾーンにそれぞれ配置された場合、メディア資産の少なくとも１つの更なる推奨を生成するステップを更に有する、請求項１に記載の方法。
【請求項７】
前記ユーザ表現及び少なくとも２つのユーザ表現は、異なるユーザに対応し、
前記少なくとも１つの更なる推奨は、前記異なるユーザに対応するユーザプロファイルデータから生成される、請求項６に記載の方法。
【請求項８】
前記少なくとも１つの推奨は、前記複数のユーザ表現からの更なるユーザ表現が前記複数のゾーンからの空のゾーン内に配置された場合に変化する、請求項６に記載の方法。
【請求項９】
前記複数のユーザ表現からの更なるユーザ表現が前記複数のゾーンの近くに配置された場合、前記複数のゾーンに追加される新たなゾーンを生成することにより、前記新たなゾーンが前記更なるユーザ表現の配置に対応する更なるステップを有する、請求項６に記載の方法。
【請求項１０】
前記複数のゾーンに追加される新たなゾーンの数は、所定の数に制限される、請求項９に記載の方法。
【請求項１１】
前記少なくとも１つの推奨は、推奨ゾーン内に表示される、請求項１に記載の方法。
【請求項１２】
前記推奨ゾーン内に表示される前記少なくとも１つの推奨は、少なくとも１つのメディア資産からの画像、少なくとも１つのメディア資産からのビデオ、及び少なくとも１つのメディア資産からのポスター画のうち少なくとも１つに適合する、請求項１１に記載の方法。
【請求項１３】
前記推奨ゾーンは、前記複数のゾーンの中に入れられる、請求項１１に記載の方法。
【請求項１４】
推奨を生成する装置であって、
複数のゾーン及び複数のユーザ表現を表示する信号を生成する表示プロセッサと、
前記複数のユーザ表現からのユーザ表現が前記複数のゾーンからのゾーンに配置された場合、メディア資産の少なくとも１つの推奨を生成するコントローラと
を有する装置。
【請求項１５】
第１のユーザに対応するユーザプロファイルデータを格納する記憶デバイスを更に有し、
前記ユーザプロファイルデータは、前記プロセッサにより、メディア資産の前記少なくとも１つの推奨を生成するために使用される、請求項１４に記載の装置。
【請求項１６】
前記プロセッサは、前記複数のユーザ表現からの第２のユーザ表現が前記複数のゾーンからの第２のゾーンに配置された場合、メディア資産の少なくとも１つの更なる推奨を生成する、請求項１５に記載の装置。
【請求項１７】
前記ユーザ表現は、第１のユーザに対応し、
前記第２のユーザ表現は、第２のユーザに対応し、
前記少なくとも１つの更なる推奨は、前記記憶デバイスに格納された前記第１及び第２のユーザに対応するユーザプロファイルデータから生成される、請求項１６に記載の装置。
【請求項１８】
複数のゾーンを表す第１の表示エレメントと、
複数のユーザ表現を表す第２の表示エレメントと、
前記複数のユーザ表現からのユーザ表現がユーザ入力に応じて複数のゾーン内に配置された場合、メディア資産の少なくとも１つの推奨を表示する推奨ゾーンを表す第３の表示エレメントと
を有するユーザインタフェース。
【手続補正２】
【補正対象書類名】明細書
【補正対象項目名】００５０
【補正方法】変更
【補正の内容】
【００５０】
この開示の教示を組み込んだ実施例についてここに詳細に図示及び説明したが、当業者は、依然としてこれらの教示を組み込んだ多くの他の変形実施例を容易に考えることができる。前述の教示を鑑みて変更及び変形が当業者により行われてもよい点に留意すべきである。
この出願は、2012年1月8日に出願された米国仮出願第61/584,307号の優先権を主張し、この全内容を援用する。
以上の実施例に関し、更に、以下の項目を開示する。
（付記１）推奨を生成する方法であって、
複数のゾーン及び複数のユーザ表現を表示する信号を生成するステップと、
前記複数のユーザ表現からのユーザ表現が前記複数のゾーンからのゾーンに配置された場合、メディア資産の少なくとも１つの推奨を生成するステップと
を有する方法。
（付記２）前記ユーザ表現は、第１のユーザに対応し、
前記少なくとも１つの推奨は、前記第１のユーザに対応するユーザプロファイルデータから生成される、付記１に記載の方法。
（付記３）前記複数のユーザ表現からの第２のユーザ表現が前記複数のゾーンからの第２のゾーンに配置された場合、メディア資産の少なくとも１つの更なる推奨を生成するステップを更に有する、付記１に記載の方法。
（付記４）前記ユーザ表現は、第１のユーザに対応し、
前記第２のユーザ表現は、第２のユーザに対応し、
前記少なくとも１つの更なる推奨は、前記第１及び第２のユーザに対応するユーザプロファイルデータから生成される、付記３に記載の方法。
（付記５）前記第１及び第２のユーザは異なり、
前記第１のゾーン及び第２のゾーンは異なる、付記４に記載の方法。
（付記６）前記複数のユーザ表現からの少なくとも２つのユーザ表現が前記複数のゾーンからのそれぞれのゾーンにそれぞれ配置された場合、メディア資産の少なくとも１つの更なる推奨を生成するステップを更に有する、付記１に記載の方法。
（付記７）前記ユーザ表現及び前記少なくとも２つのユーザ表現は、異なるユーザに対応し、
前記少なくとも１つの更なる推奨は、前記異なるユーザに対応するユーザプロファイルデータから生成される、付記６に記載の方法。
（付記８）前記少なくとも１つの推奨は、前記複数のユーザ表現からの更なるユーザ表現が前記複数のゾーンからの空のゾーン内に配置された場合に変化する、付記６に記載の方法。
（付記９）前記複数のユーザ表現からの更なるユーザ表現が前記複数のゾーンの近くに配置された場合、前記複数のゾーンに追加される新たなゾーンを生成することにより、前記新たなゾーンが前記更なるユーザ表現の配置に対応する更なるステップを有する、付記６に記載の方法。
（付記１０）前記複数のゾーンに追加される新たなゾーンの数は、所定の数に制限される、付記９に記載の方法。
（付記１１）前記少なくとも１つの推奨は、推奨ゾーン内に表示される、付記１に記載の方法。
（付記１２）前記推奨ゾーン内に表示される前記少なくとも１つの推奨は、少なくとも１つのメディア資産からの画像、少なくとも１つのメディア資産からのビデオ、及び少なくとも１つのメディア資産からのポスター画のうち少なくとも１つに適合する、付記１１に記載の方法。
（付記１３）前記推奨ゾーンは、前記複数のゾーンの中に入れられる、付記１１に記載の方法。
（付記１４）推奨を生成する装置であって、
複数のゾーン及び複数のユーザ表現を表示する信号を生成する表示プロセッサと、
前記複数のユーザ表現からのユーザ表現が前記複数のゾーンからのゾーンに配置された場合、メディア資産の少なくとも１つの推奨を生成するコントローラと
を有する装置。
（付記１５）第１のユーザに対応するユーザプロファイルデータを格納する記憶デバイスを更に有し、
前記ユーザプロファイルデータは、前記プロセッサにより、メディア資産の前記少なくとも１つの推奨を生成するために使用される、付記１４に記載の装置。
（付記１６）前記プロセッサは、前記複数のユーザ表現からの第２のユーザ表現が前記複数のゾーンからの第２のゾーンに配置された場合、メディア資産の少なくとも１つの更なる推奨を生成する、付記１５に記載の装置。
（付記１７）前記ユーザ表現は、第１のユーザに対応し、
第２のユーザ表現は、第２のユーザに対応し、
少なくとも１つの更なる推奨は、前記記憶デバイスに格納された前記第１及び第２のユーザに対応するユーザプロファイルデータから生成される、付記１５に記載の装置。
（付記１８）複数のゾーンを表す第１の表示エレメントと、
複数のユーザ表現を表す第２の表示エレメントと、
前記複数のユーザ表現からのユーザ表現がユーザ入力に応じて複数のゾーン内に配置された場合、メディア資産の少なくとも１つの推奨を表示する推奨ゾーンを表す第３の表示エレメントと
を有するユーザインタフェース。